(57)【要約】      （修正有）【課題】腐食加工工程により作成した押し型を利用して成形される電飾用アクリル板の製造方法であって、装飾アクリル板のみで立体感のある装飾模様を表示可能にした電飾用アクリル板の製造方法を提供する。【解決手段】電飾用アクリル板の製造方法において、装飾模様の形成されたネガフィルムを作成する工程１１０と、型版に感光材を塗布して前記ネガフィルムを焼付ける焼付工程１２０と、型版に焼付けられた装飾文字および装飾絵柄を硬化する硬化工程１３０と、型版を薬品によりエッチングする腐食加工工程１４０と、からなる押し型製造工程と、押し型製造工程により製造された押し型を押圧してアクリル板の表面に凹凸模様を形成する押圧工程１５０と、からなる製造方法である。【選択図】図１
2011046055.tif 000002
【特許請求の範囲】
【請求項１】
表面に凸凹模様が形成された押し型をアクリル板の表面に向い合せに設置して前記押し型を前記アクリル板に圧力をかけて押圧し、アクリル板の表面に対応する凹凸模様を形成する電飾用アクリル板の製造方法において、
装飾模様の形成されたネガフィルムを作成する工程と、
型版に感光材を塗布して前記ネガフィルムを焼付ける焼付工程と、
前記型版に焼付けられた装飾文字および装飾絵柄を硬化する硬化工程と、
前記型版を薬品によりエッチングする腐食加工工程と、
からなる押し型製造工程と、
前記押し型製造工程により製造された押し型を押圧してアクリル板の表面に凹凸模様を形成する押圧工程と、
からなることを特徴とする電飾用アクリル板の製造方法。
【請求項２】
前記型版は、銅版であることを特徴とする請求項１記載の電飾用アクリル板の製造方法。
【請求項３】
前記押圧工程は、圧をかける時の温度が０℃から１５０℃であることを特徴とする請求項１又は２記載の電飾用アクリル板の製造方法。
【請求項４】
前記電飾用アクリル板は、該電飾用アクリル板の端面に装備されるＬＥＤから投光される光により凹状の装飾模様が照射拡散して導光板の表面から外部に向けてＬＥＤの光を出射するＬＥＤ発光パネルであることを特徴とする請求項１乃至３何れか１項に記載の電飾用アクリル板の製造方法。
【発明の詳細な説明】
【技術分野】
【０００１】
本発明は電飾用アクリル板の製造方法に関し、特に、腐食加工工程により作成した押し型を利用して成形される電飾用アクリル板の製造方法であって、装飾アクリル板のみで立体感のある装飾模様を表示可能にした電飾用アクリル板の製造方法に関する。
【背景技術】
【０００２】
従来、インテリア、装飾品、案内表示、広告、各種ディスプレイとして透明樹脂プレートに装飾を施した装飾板が使用されている。特に、パチンコ遊技等におけるパチンコ機またはパチスロ機では、装飾効果を高めるため、ＬＥＤおよび導光板を利用した表示装置が組み込まれたものが多く使用されている。この装飾板は、透明な合成樹脂板の一側面に図柄や凹模様を施して、板端面から光を照射し、模様部分が光を反射することで装飾板面の絵柄や文字による模様を発光表示させる構造である。
【０００３】
従来の表示装置は、ＬＥＤの点灯／点滅等により光を変化させ、また発光色を変化させる等により、装飾効果を演出していたが、表示装置自体が表示する内容は、平面的な装飾表示に留まっていた。しかし、遊技設備における装飾表示としては、顧客の目を惹く、演出効果の高い立体感のある装飾表示が望ましく、従来にない装飾表示が望まれていた。
【０００４】
金型を使用した型押し加工によれば、装飾性の高い装飾パネルが製造されている。しかし、金型を利用した製造工程には多大な費用が掛かり、製造コストが増大するという問題がある。
【０００５】
金型を使わないプレート面の表示内容の加工方法としては、透明な合成樹脂プレートの一面側にレーザー光により凹凸模様を施す方法が採用されている。しかし、レーザー彫刻加工では生産に時間がかかる為、短期間で量産できる装飾板の製造方法の開発が望まれていた。また、レーザーによる刻印にも時間が掛かるという問題もあった。
【０００６】
また、他の方法として、印刷パターンをプラスチックシートの表面に転写して形成する装飾パネルの製造方法が採用されている。この製法では、装飾パネルは印刷によってインクの凹凸からなる印刷パターンを作成し、印刷パターンを有する印刷基材を成形金型内に配置してパネル本体の成形を行う方法により製造される。この製法にでは、付加される装飾の表現が多様であるという利点がある。しかし、印刷基板を作成してからパネルを１枚ずつ金型内で成形するため、製造に時間が掛かるとともに、生産コストが高いという問題があった。特に、短期間で装飾板を使用した遊戯設備の大量入替えが求められる遊戯場においては、安価で量産しやすい装飾板が求められている。
【０００７】
その為、安価で加工し易いアクリル板を使用して、更に簡易で短期間に量産可能な装飾効果の高い装飾パネルを製造する方法の開発が望まれていた。
【先行技術文献】
【特許文献】
【０００８】
【特許文献１】特開２００８−５５７６１号公報
【発明の開示】
【発明が解決しようとする課題】
【０００９】
本発明は、上記問題を解決するために、腐食加工工程により作成した押し型により成形される電飾用アクリル板の製造方法であって、押し型のコストが低減できて短期間での量産に適しており、立体感のある装飾模様の表示可能な電飾用アクリル板の製造方法を提供することを目的とする。また、遊技場設備に適用できる装飾板であって、表示内容の背景を光のグラデーションによって奥行のあるように表示できる立体的な装飾表示の可能な電飾用アクリル板を提供することを目的とする。
【課題を解決するための手段】
【００１０】
上記目的を達成するために、本発明に係る電飾用アクリル板の製造方法は、表面に凸凹模様が形成された押し型をアクリル板の表面に向い合せに設置して前記押し型を前記アクリル板に圧力をかけて押圧し、アクリル板の表面に対応する凹凸模様を形成する電飾用アクリル板の製造方法において、装飾模様の形成されたネガフィルムを作成する工程と、型版に感光材を塗布して前記ネガフィルムを焼付ける焼付工程と、前記型版に焼付けられた装飾文字および装飾絵柄を硬化する硬化工程と、前記型版を薬品によりエッチングする腐食加工工程と、からなる押し型製造工程と、前記押し型製造工程により製造された押し型を押圧してアクリル板の表面に凹凸模様を形成する押圧工程と、からなる製造方法である。
【００１１】
また、前記型版は、銅版で構成される製造方法でもある。また、前記押圧工程は、圧をかける時の温度が０℃から１５０℃に設定される構成である。
【００１２】
更に、前記電飾用アクリル板は、該電飾用アクリル板の端面に装備されるＬＥＤから投光される光により凹状の装飾模様が照射拡散して導光板の表面から外部に向けてＬＥＤの光を出射するＬＥＤ発光パネルでもある。
【発明の効果】
【００１３】
本発明に係る電飾用アクリル板の製造方法は、上記詳述した通りの構成であるので、以下のような効果がある。
１．押し型となる型版を腐食加工することにより簡易で製造コストが抑えられる方法であるとともに、量産に適した方法である。また、装飾アクリル板の製造に係る工程数が少なく簡便に立体感のある装飾板を生産することが出来る。更に、従来の金型のコストを大幅に低減できるとともに、従来使用していた箔押し型を用いて製造することが可能である為、低コストで生産することが可能である。
【００１４】
２．型版に深く、ドットの細かい凹溝を形成することができ、ＬＥＤの光を良好に反射発光し、立体的で美しく輝く装飾性の高いアクリル板を形成することが出来る。
３．適切な温度下で押圧を行う事でアクリル板に明瞭な模様を凹設することが出来る。
【００１５】
４．装飾フィルムをアクリル板に転写することを要せず、形成された電飾用アクリル板を設置することで直進するＬＥＤ光を反射拡散させて美しく立体感のある装飾性の高いパネルを作成することが出来る。構成部品数を減らして従来以上の装飾表示を行う事が可能である。
【図面の簡単な説明】
【００１６】
【図１】本発明に係る装飾アクリル板の製造方法のフローチャートを示す図である。
【図２】（ａ）〜（ｄ）：本発明に係る装飾アクリル板の製造方法の押し型製造工程を示す図である。
【図３】（ａ）、（ｂ）：本発明に係る装飾アクリル板の製造方法の型押し工程を示す図である。
【発明を実施するための最良の形態】
【００１７】
以下、本発明に係る電飾用アクリル板の製造方法を図面に示す実施例に基づいて詳細に説明する。
本発明の電飾用アクリル板１０の製造方法１００は、図１に示すように、まず、ネガフィルム３０を作成する工程１１０と、型版４０にネガフィルム３０を焼付ける焼付工程１２０と、型版４０の装飾文字および装飾絵柄を硬化する硬化工程１３０と、型版を薬液によりエッチングする腐食加工工程１４０と、からなり、この工程により押し型２０を形成し、完成した押し型の下方にアクリル板５０を設置して上方から圧力をかける押圧工程１５０により電飾用アクリル板１０を完成する。
【００１８】
ネガフィルム作成工程１１０は、図２（ａ）に示すアクリル板５０に形成する為の装飾模様の付されたネガフィルムを作成する工程である。図２（ｂ）に示すように、ネガフィルム３０にはアクリル板５０の凹溝５２（図３（ｂ）参照）となる装飾部が薄く形成されている。
【００１９】
焼付工程１２０は、型版４０にネガフィルム３０を焼付ける工程である。
ネガフィルム３０は、型版４０に塗布された感光剤３５によって型版４０に焼付けられる。本実施例では型版４０に銅版を使用している。
【００２０】
硬化工程１３０は、図２（ｃ）に示すように、ネガフィルム３０を型版４０に硬化させる工程である。硬化工程では、ネガフィルム３０の版の下の文字・絵柄部のみを硬化させる。
【００２１】
腐食加工工程１４０は、型版４０を薬品により腐食作用させて、エッチングを行う工程である。本発明の電飾用アクリル板の製造方法では、まず金属製の押し型２０が型版４０の腐食加工工程によって形成されることに特徴がある。腐食加工工程１４０により型版４０は全体的に腐食するが、この際に腐食されずに残った凸模様２２が押し型２０の模様として形成される。
【００２２】
硬化工程１３０により装飾文字および装飾絵柄が版表面に硬化された型版４０となる銅版を薬品に浸して腐食させることにより、装飾文字および装飾絵柄のみが凸状または凹状に残り、図２（ｄ）に示す押し型２０が形成される。
金属板からなる押し型２０の加工面に凹凸をエッチング加工により形成し、出来た金属板の突出部をアクリル板の表示面に押し付けて、アクリル板に明瞭な凹形状を形成する。
【００２３】
型版４０としては、銅版、亜鉛版等、腐食作用可能な金属版を用いることが出来る。本実施例では、型版４０として銅版を使用している。銅版を使用することにより、薬液によるエッチング作用がし易く装飾加工しやすい押し型とすることが出来る。薬液に用いられる薬剤としては、例えば塩化第二鉄、塩化第二銅等が挙げられる。
エッチングにより細い線模様を施した押し型２０を形成することが可能であり、装飾性の高い型を形成することが出来る。その為、アクリル板５０にＬＥＤ光が乱反射する美しい凹条装飾模様を形成することが出来る。
【００２４】
押圧工程１５０は、腐食加工工程１４０によって製造された押し型２０をアクリル板５０に押圧する工程である。図３は押圧工程によるアクリル板への型押しを示している。
図３（ａ）に示すように、アクリル板５０は押し型２０の下方に設置されて、その後、押し型２０の上方から圧力をかける。押圧により押し型２０の凸模様２２がアクリル板５０に凹溝５２を形成する。アクリル板５０の表面に押し型２０の凹凸模様を凹設することで図３（ｂ）に示す電飾用アクリル板１０が完成する。
【００２５】
押圧に必要な押圧機は、従来、箔押しに使用していた押圧機をそのまま利用する事ができる。本実施例では、押圧時の温度は０℃から１５０℃の間である事が好ましく、温度を適宜に設定することでアクリル板に適切に装飾模様を付加することが出来る。
【００２６】
本実施例では、電飾用の板としてアクリル板５０を使用しているが、アクリル板以外にも透明板として、透明性が高く、光の屈折率が高いメタクリル樹脂等の板が使用可能である。アクリル板は材料コストが安価であって押し型２０により装飾模様を付加しやすい為、本発明に適した素材である。また、アクリル板を使用することで、他の樹脂板の上にコーティングやラミネートされても耐候性に優れた美しい立体装飾模様の表示可能な装飾板を製造することが出来る。
【００２７】
本発明の電飾用アクリル板１０は、特に、遊戯具の装飾パネルに適した構造である。本発明の方法により製造された電飾用アクリル板１０は、端面にＬＥＤを列状に配備した電飾パネルの導光板として利用可能である。通常、電飾パネルにはアクリル板に複数のコーティングや加工を施して画像を立体的に表示する構造が採用されているが、本発明の電飾用アクリル板１０は、画像が印刷された印刷紙に電飾用アクリル板１０を装着するのみで、立体的な画像表示を行うことが出来る。
【００２８】
本実施例では、電飾用アクリル板１０は、板端面に装備された複数個のＬＥＤにより、端面側から光の照射を受ける。電飾用アクリル板１０には、表示したい文字や線画に応じた凹溝５２や凹凸が形成されている。それゆえ、ＬＥＤの照射により、アクリル板内を光が導かれ、導かれた光は凹溝や凹凸で反射されて正面側から見ると、凹溝５２や凹凸により描かれた表示内容が光って見える。電飾用アクリル板の裏面側に装飾模様に対応した図柄の描かれたシートを設置することにより、アクリル板に形成された凹状の装飾模様が照射拡散し、導光板の表面から外部に向けて端面に設置されたＬＥＤの光を前面に出射するＬＥＤ発光パネルとなるとともに、図柄が立体的に視覚され、装飾性の高い電飾パネルを形成することが出来る。
【００２９】
本発明の電飾用アクリル板の製造方法では、遊戯具の発光パネル装置に用いる装飾等のパターンを有する装飾板の押し型を低コストで製造でき、電飾用アクリル板を少量生産であってもまた大量生産であっても、低コストで提供することができるという効果を奏する。
【符号の説明】
【００３０】
１０    電飾用アクリル板
２０    押し型
２２    凸模様
３０    ネガフィルム
３５    感光剤
４０    型版
５０    アクリル板
５２    凹溝
１００    電飾用アクリル板製造方法
１１０    ネガフィルム作成工程
１２０    焼付工程
１３０    硬化工程
１４０    腐食加工工程
１５０    押圧工程
【図１】
2011046055.tif 000003
【図２】
2011046055.tif 000004
【図３】
2011046055.tif 000005